(57)【要約】      （修正有）【課題】寒冷地で、窯業系サイディングボードを貼った木造住宅を断熱改修後に内部に熱が滞留せず、サイディングボードの凍害劣化がおきない工法の提供。【解決手段】改修工事が実施可能な地域を真夏の暑いときに、日陰に入ると涼しく感じる地域で夏を、冷房なしですごせる寒冷地とし、夏には、一定の温度に自動的に感応する排熱用換気扇を天井、または壁に設置する。また、自然換気を促すため、建物を高気密にはしない。一方冬としては、暖房があれば一定のある温度に自動的に感応する排熱用換気扇があるので、一定温度が維持される。建物が高気密ではないので、サイディングボードの裏面に発生する結露水で凍害劣化をおこすため古いサイディングボードは新しいものに交換しボードの裏面に、溶剤系浸透性撥水材、及び溶剤系エナメル塗料を順に塗布し水蒸気と結露水の両方の浸入を防ぐ。さらに結露水は水切りにて外部に排出する。表面は塗装を施すこともできる。【選択図】なし【特許請求の範囲】
【請求項１】
室内の天井か、もしくは壁に、一定温度で自動的に稼動する排熱用の換気扇を設置すること。この場合設定温度は、居住者が自由に設定できるものとする。
【請求項２】
この申請書で述べた、寒冷地で、窯業系サイディングボードを貼った木造住宅を断熱改修する工法が実施可能な地区は、真夏の暑いときに日陰に入ると涼しく感じる地域、或いは、夏を冷房なしで過ごせる地域であること。
１）断熱材
使用する断熱材は、断熱ボード（ＥＰＳボード、硬質ウレタンフォームなど）とする。ボードの厚みは北海道の外壁では、一般的にＥＰＳボードで７５ｍｍといわれているが、はっきりしたデータはまだ無いので今後の検討の余地があるものの、その地域で一般に使われている厚みとする。
２）サイディングボード
窯業系サイディングボードは凍害による劣化を起こしやすく、一度劣化が進むとそのサイディングボードはきれいにはがすことが難しくて、再利用はほとんど困難である。従って新たにサイディングボードを貼ることになるが、劣化または凍害を予防する処置として、新しく貼るサイディングボードの裏面に溶剤系浸透性撥水材と溶剤系エナメル塗料をこの順に組み合わせて塗装する。
３）溶剤系浸透性撥水材
無色透明の浸透性撥水材で皮膜を形成しないもので、サイディングボードに塗布乾燥後ボード面に水滴を落としたとき、水滴が粒状となってころころ転がるような撥水性を形成するもの。市販品の名前の例を挙げると、アクアシ−ル、コンフィックスＳＭ−７、ウオ−タ−シ−ル、タイトシラン、プ−レガ−ド、などでこのほかにもあるが、いずれも水滴が粒状になるようなものが品番で指定してあるので、塗布の際にはチェックが必要である。なお浸透性撥水材には水系のものが市販されているが、これは皮膜を形成することと、エナメルとの付着性に不安があるため使用は不可とする。
４）溶剤系エナメル塗料
この材料はサイディングボードに防水性を与えるために塗布するもので、しかも浸透性撥水材の上に塗布するものであるため、これは溶剤型でなくてはならず、水系は不可である。この材料も一般の市販品を使用することが可能で、ほとんどの塗料メ−カ−から買い求めることが出来る。しかも最近は、弱溶剤タイプ、及び「Ｆ☆☆☆☆」という環境に配慮したものが市販されており、溶剤アレルギーを幾分でも緩和することが可能である。とはいっても、強溶剤タイプ、「Ｆ☆☆☆☆」なしでも使用できることはもちろんであるので、使用する場所の環境設備、及びコストなどを考慮して使用したらよい。また溶剤系エナメル塗料に使用されている樹脂の種類もアクリル、ウレタン、シリコン、フッ素など多くあるが、目に見えないところに使用することと、紫外線が直接当らないので値段の安いもので十分である。また皮膜を十分に形成させる必要があるために、クリヤータイプのものよりも顔料の入っているほうが良い。ここで注意することが一つあって、浸透性撥水材を塗布せずに撥水性のあるエナメルだけを１回塗っただけで終了することは、不可である。
【発明の詳細な説明】
【技術分野】
【０００１】  本発明は、寒冷地で、窯業系サイディングボードを貼った木造住宅を断熱改修する工法に関するものである。
【背景技術】
【特許文献１】  特許公開平１１−２５６００６
【特許文献２】  特許  ２００７−１４８５９７（平成１９・５・７出願）  表題  「サイディングボードの凍害を防止する塗装方法」  （平成２２・８・２４  未審査請求によるみなし取り下げ）
【非特許文献】  日本建築仕上学会  寄稿  表題  「窯業系サイディングボードの凍害を防ぐ方法」  ２０１１．１１／１２  （Ｖｏｌ．２３  Ｎｏ．１３９）
【発明の開示】
【発明が解決しようとする課題】
【０００２】  本発明では、寒冷地の窯業系サイディングボードを貼った木造住宅の断熱改修をとりあげ、改修に付随する問題を解決してその普及を図ることを目指している。
工法は、再び繰り返すことになるが次の通りである。
▲１▼．まず現在貼ってあるサイディングボードをすべてはがす（再利用は困難）。
▲２▼．外壁のグラスウールをすべて断熱ボード（ＥＰＳボード、硬質ウレタンフォームなど）に交換する。
▲３▼．屋根、または天井、床、及び間仕切壁を断熱する。このときに使用する断熱材は、断熱ボード（ＥＰＳボード、硬質ウレタンフォームなど）とするが、天井ではグラスウールでもよい。また窓枠は木製かプラスチック製に、ガラスはペアガラス以上にする。
▲４▼．室内の天井か、もしくは壁に、一定温度で自動的に稼動する排熱用の換気扇を設置する。この場合設定温度は、居住者が自由に設定できるものとする。
▲５▼．外壁には新規にサイディングボードを貼って完成させる。このとき、新しく貼るサイディングボードの裏面に溶剤系浸透性撥水材と溶剤系エナメル塗料をこの順に組み合わせて塗装する。
▲６▼．必要に応じて、外部を塗装する。
これに付随する問題とは、次の通りである。
（１）．断熱改修後に内部に熱が滞留すること。
（２）．窯業系サイディングボードの凍害劣化が発生すること。
【課題を解決するための手段】
【０００３】（１）．断熱改修後に内部に熱が滞留することを防ぐこと。
寒冷地で断熱改修した木造住宅に見られる問題点のひとつに、室内に熱気が滞留することがあげられる。夏に屋根や窓から入った熱気が室内にたまり、逃げ場をなくしたため、室内が異常に高温になって窓という窓をすべて開放しているのを見ることがある。また熱の滞留は冬にも起こる。微小運転が十分に機能しない暖房装置を使用した場合、断熱性が高いと、一度暑くなった室内を冷やすには、夏と同じように窓を開けたり、そのつど換気扇を回して熱を逃がすという方法しかない。これらを改善するには、たまった熱は、すぐ外部に放出するような専用装置を設置することが必要である。例えば、室温が３０℃を超えたら自動的に稼動する換気扇を壁や天井に設置する。この場合稼動する室温の設定は、居住者が自由に出来るものであることが必要である。また冬の場合には、微小レベル調整が出来る暖房装置ならば問題はないが、そうでない場合は暖房を微小運転させながら、換気口から熱気を少しずつ逃がす方法もある。ここで誤解を招きかねないが、微小レベル調整が出来ない暖房を使用すると換気口から熱を逃がすことになり、エネルギーの無駄遣いといわれそうであるが、エネルギーは賢く使うべきだと思う。冷却に多額の費用をかけるよりは、はるかにましではないかと思う。従って、維持・管理が楽なタイプの換気扇を設置することによって、この問題は解決できる。【０００４】（２）．窯業系サイディングボードの凍害劣化を防止すること。
ＲＣに施工するような外張り断熱をサイディングボードの上から施工しているのを見たことがあるが、これは次の理由から必ずしも好ましくない。
（イ）．サイディングの風合いがなくなる。
（ロ）．室内から漏れ出す水蒸気が冷えたサイディングの裏面にあたって結露水に変わり、サイディングに浸透してサイディングを湿らせたり、乾燥したりを繰り返す結果、サイディングが膨張・収縮を繰り返す。そのため外張り断熱材の付着性に悪影響を及ぼす可能性がある。
サイディングボードは、水切りとの取り合い部分にわずかな隙間があり、いくら外断熱を施工したとはいえ、サイディングが外気温と同程度に冷えていることが考えられるので、このような心配がある。【０００５】  先ほど『寒冷地』を定義したが、このような地域であれば、夏は、断熱が有効に機能していればたまった熱気は排除すればよいし、また空気が自然に入れ替わるだけで室内の快適さは維持できる。従って、そのためには建物を高気密にしてはならない。一方冬には、外部に漏れ出る空気に含まれる水蒸気が冷えたサイディングの裏面で結露水に変わり、サイディングを劣化、もしくは凍害を起こさせるので、窯業系サイディングボードの凍害劣化を防止する処置が必要になる。【０００６】  そこで再び繰り返すことになるが、寒冷地において、窯業系サイディングボードを貼った木造住宅の断熱改修は、段落［０００２］にある▲１▼〜▲６▼のようにする（新築は除く）。【０００７】  上述した▲１▼〜▲６▼について簡単に説明をする。まず▲１▼であるが、窯業系サイディングボードは、結露水によって劣化が進んでいる場合にはボードそのものが強度を低下させているので、胴縁からきれいにはがすことは大変困難であって、再利用することはほとんど不可能である。おそらくバラバラになって回収されると思われるが、このとき支えとするための胴縁もいっしょに除去する。【０００８】  ▲２▼では、既存のグラスウールを断熱ボードに置き換える。すなわち既存のグラスウールをすべて除去し、その厚みの部分に断熱ボードをはめ込む。このはめ込む方法は、壁の柱と梁に囲まれたひとつの部分をちょうどひとつの枠のように考えて、その枠の中にちょうど納まるように、そしてぐらつかないようにはめ込み、最後に崩れないように胴縁で固定する。ここで使用する胴縁は、あとでサイディングボードを貼るときの胴縁にもなるが、断熱ボードの厚みによっては、さらに別な胴縁を設置する必要がある。北海道の場合、グラスウールの厚みは大体１００ｍｍ程度であるので、置き換える断熱ボードの厚みも一般的に７５ｍｍとするが、一概には決定できない。それでも夏に部屋にたまった熱気を直ちに外部に放出する装置を設置するならば、断熱ボードの厚みはそれほど神経質にならなくてもその地区における一般的な数値でよいと思う。またこのとき、断熱ボードの上にビニールシートをかけることはせず、従って高密度にはしない。【０００９】  ▲３▼で述べることは、主に部屋の熱を逃がさないことが目的であるが、同時に屋根、または天井の場合、太陽の輻射熱をさえぎる意味もある。また間仕切壁の場合は、断熱ボードを１０ｍｍ程度の厚みにして内張りとする。内張りにしても部屋同士の温度差が大きくなければ結露の心配はないと思う。実際に、北海道富良野市にある某旅館で、断熱材を内張りにして夜間の冷えを改良した事例を知っている。ここでは、中央に廊下があってその両側に各部屋が向きあっているが、この廊下も一緒に暖房しているのと、各部屋の入口扉のつくりが精密でなく、従って廊下と各部屋の暖房が通じている可能性があるため、内張り断熱でも問題がないと考えられる。しかし外部に対し内張りした場合には結露が心配であるが、サイディングボードでは結��に対する処置をしているので問題は無い。【００１０】  ▲４▼については、稼動しないときは熱気が逃げずかつ冷気が入ってこないようなふたがされるものが適している。これを部屋の天井、または壁に設置しておき、例えば気温が３０度になったら稼動するようにセットしておく。そして気温が３０度以下になったら自動的に切れるようにするが、稼動する温度の設定、及び温度センサーの取り付ける位置は住人が行う必要がある。また、故障、または交換のことを考えると換気扇は維持管理が楽なものを選ぶ必要がある。【００１１】  ▲５▼については、窯業系サイディングボードを使用した場合にその劣化を防ぐ意味で必須といえる。今回提案する断熱改修では、建物は高気密ではないため室内の水蒸気は外部へ発散するようになっている。その結果、冷えたサイディングボードの裏面に結露水を発生させ、ひいてはサイディングボードを劣化させる可能性がある。さらに、寒冷地においてはサイディングボードを凍害でいためてしまうことがあるため、水蒸気、及び結露水対策は必ず行わなければならない。この対策に至った経緯は、［特許文献２］、及び［非特許文献］に載っているので読んで頂きたい。